(57)【特許請求の範囲】
【請求項１】
シート状材を折りたたんで袋状として内包する果実を保護する果実袋であって、該果実袋は内袋と外袋からなり、夫々内袋及び外袋の上部に果実を導入する開口部を備えており、該夫々の開口部の開口端部から下方に向けて切込部を形成しており、さらに前記内袋と前記外袋の間に中袋を備えており、
該切込部の下部の終端部近傍に果実袋の切り裂きの発生を防ぐための補強手段として接着剤又は粘着剤を施したことを特徴とする三重果実袋。
【請求項２】
開口部の開口端部から下方に向けて形成された切込部は、切り込み線であることを特徴とする請求項１記載の三重果実袋。
【請求項３】
開口部の開口端部から下方に向けて形成された切込部は、切抜部であることを特徴とする請求項１記載の三重果実袋。
【発明の詳細な説明】
【技術分野】
【０００１】
本発明は、桃、りんご、プラム等の果実に使用する果実袋に関し、特に柑橘類の果実の使用に適した果実袋に関する。
【背景技術】
【０００２】
従来、果樹栽培において、果実を病害や虫害、風雨、散布薬剤などから保護するために、一重の果実袋または複数の果実袋を重ねた多重果実袋を用いて果実を覆うことを行っている。その中でも、桃やりんご、柑橘類などは、枝の上で結束するか、果軸に挟んで結束するため、果実袋の開口部に口切と呼ばれるＩ型の切り込み線を入れたり、Ｖ型に切り抜いたりすることで開口部を広げ易くして使用している。例えば本願出願人は、特許文献１において、開口部に口切部を備えた果実二重袋を出願している。
以降、本願明細書においては、Ｉ型の切り込み線及びＶ型の切り抜き等を総じて切込部と称呼して説明する。また、本願明細書においては、単に「果実袋」と称した場合は、一重の果実袋または複数の果実袋を重ねた多重果実袋を意味するものである。
【先行技術文献】
【特許文献】
【０００３】
【特許文献１】特開２００４−２０８６５８号公報
【発明の開示】
【発明が解決しようとする課題】
【０００４】
果実袋を掛ける時期は通常は幼果期であるが、柑橘類に関しては冬季の霜よけや寒害防止が目的であり、十分に果実が成長してから袋掛けを行うことが一般的である。このような柑橘類に対する袋掛けは、生産者が袋を掛ける際に果軸にＩ型の切り込み線１０３を挟み込むとき、開口部１０１を大きく開く必要がある。例えば図１１に示すような、切欠部１０２から連続した切り込み線１０３を具備する果実袋１００を果実に掛ける際、図１２に示すように、開口部１０１を開いて果実Ａを果実袋１００の内部に導入するときに、開口部１０１と切り込み線１０３の両脇部分を大きく開きすぎたときや、切り込み線１０３に果軸または枝を挟み込んだとき、隙間なく果実袋を結束しようとするときなどに、切り込み線１０３の下方の終端部１０３’から果実袋１００に切り裂け１０５が生じてしまい、もはや果実袋として用いることができなくなるという問題が生じていた。図１１において、符号１０４は切り込み線１０３に通した果軸や枝に開口部１０１の上端部を折り込み巻きつけるための止金である。
【０００５】
これを解消するためには、従来、果実袋の素材（紙）を厚くしたり、硬くしたりして裂けづらくするといった方法が行われてきたが、一日に数千枚の果実の袋掛け作業を行う生産者にとっては、果実袋の素材が厚かったり硬かったりすることで手指の疲労が大きくなり、袋掛け作業の能率が低下する問題点が生じていた。
【０００６】
本発明は、上記課題に鑑みて、袋掛けの際に裂けにくく、且つ薄く柔らかい果実袋を提供することを目的とする。
【課題を解決するための手段】
【０００７】
本発明に係る三重果実袋は、シート状材を折りたたんで袋状として内包する果実を保護する果実袋であって、該果実袋は内袋と外袋からなり、夫々内袋及び外袋の上部に果実を導入する開口部を備えており、該夫々の開口部の開口端部から下方に向けて切込部を形成しており、さらに前記内袋と前記外袋の間に中袋を備えており、
該該切込部の下部の終端部近傍に果実袋の切り裂きの発生を防ぐための補強手段として接着剤又は粘着剤を施したことを特徴とする。
その際、開口部の開口端部から下方に向けて形成された切込部は、切り込み線であるか、又は、切抜部であるか何れでも良い。
【０００８】
上記構成によれば、開口部を開いて果実を導入する際、果実袋が切込部下方の終端部から裂けることを防止し、耐久性向上を図ることができる。
【０００９】
本発明に係る果実袋は、前記果実袋のうち２以上の果実袋を重ねた多重果実袋では、前記２以上の果実袋のうち少なくとも１以上の果実袋に前記補強手段を施したことを特徴とする。
【００１０】
上記構成によれば、複数の果実袋を重ねた多重果実袋である場合、何れか１つの果実袋を補強することで、果実袋そのものが切込部終端部から裂けることを防止し、耐久性の向上を図ることができる。
【００１１】
本発明に係る果実袋は、前記補強手段は、プラスチック、接着剤、粘着剤、及び、接着剤または粘着剤を塗布した補強テープの何れかであることを特徴とする。
【００１２】
上記構成によれば、プラスチック、接着剤、粘着剤の何れかを所定の位置に塗布し、又は補強テープを貼着するのみで補強部材を構成することができるので、低コストにて強度の高い果実袋の提供が可能となる。
【００１３】
本発明に係る果実袋は、前記補強手段を施した果実袋は、前記切込部の下部終端部近傍の引裂強度が４００ｍＮ（ミリニュートン）以上であることを特徴とする。
【００１４】
上記構成によれば、引裂強度の弱い、薄い紙によって形成された果実袋であっても、補強部材を備えることで、開口部を開く際に切込部から裂けることがない。
【発明の効果】
【００１５】
本発明に係る果実袋は、シート状材を折りたたんで袋状として内包する果実を保護する果実袋であって、該果実袋は上部に果実を導入する開口部を備えており、該開口部の開口端部から下方に向けて切込部を形成しており、該切込部の下部の終端部近傍に果実袋の切り裂きの発生を防ぐための補強手段を施したので、果実を果実袋内部に導入する際に作業者が開口部を広げるときや、切込部に果軸または枝を挟み込んだとき、隙間なく果実袋を結束しようとするときなどに、開口部に設けた切込部から果実袋を裂こうとする力がかかった場合であっても、補強部材がストッパーとなって果実袋の破損を最小限にすることができ、破損に伴うコストの増大を防止することができる。また、果実袋の素材を従来同様の薄く引裂強度の低い紙を利用することができるので、果実袋の素材をそのままに強度を向上させることができ、作業者の袋掛け作業の負担が、補強部材によって増加することはない。
【００１６】
本発明に係る果実袋は、前記果実袋のうち２以上の果実袋を重ねた多重果実袋では、前記２以上の果実袋のうち少なくとも１以上の果実袋に前記補強手段を施したので、多重果実袋であっても少なくともいずれか１つ、または複数の果実袋に補強部材を設けることで、果実を果実袋内部に導入し結束するまで、開口部に設けた切込部から果実袋が裂けて破損することを防止できる。
【００１７】
本発明に係る果実袋は、前記補強手段は、プラスチック、接着剤、粘着剤、及び、接着剤または粘着剤を塗布した補強テープの何れかであるので、果実袋の補強部材の形成を容易且つ安価に行うことができる。
【００１８】
本発明に係る果実袋は、前記補強手段を施した果実袋は、前記切込部の下部終端部近傍の引裂強度が４００ｍＮ（ミリニュートン）以上であるので、引裂強度の弱い紙を用いた果実袋であっても、引裂強度を向上させることができる。
【００１９】
本発明に係る果実袋によって、果実袋が裂けて破損することを防止できるので、果実袋の再度の利用も可能となり、生産者にとって経済的である。
【図面の簡単な説明】
【００２０】
【図１】本発明の実施例１における、果実袋の正面図である。
【図２】同上、果実袋に柑橘類の果実を導入した状態を示す説明図である。
【図３】同上、果実袋の切込部に導入した果軸を果実袋で挟み込んだ状態を示す説明図である。
【図４】同上、果実袋の開口部を閉じた状態を示す説明図である。
【図５】本発明の実施例２における、二重果実袋の正面図であり、（ａ）内袋、（ｂ）外袋、（ｃ）外袋に内袋を入れて重ねた状態を各々示す。
【図６】本発明の実施例３における、三重果実袋の正面図であり、（ａ）内袋、（ｂ）中袋、（ｃ）外袋、（ｄ）３種の袋を重ねた状態を各々示す。
【図７】本発明の実施例４における、Ｖ型切抜部を備える果実袋を示す正面図である。
【図８】同上、Ｖ型切抜部を備える果実袋に果軸の短い桃を導入した状態を示す説明図である。
【図９】同上、果実袋のＶ型切抜部に導入した枝を果実袋で挟み込んだ状態を示す説明図である。
【図１０】同上、果実袋の開口部を閉じた状態を示す説明図である。
【図１１】従来の果実袋を示す正面図である。
【図１２】従来の果実袋を柑橘類の果実に袋掛けをする一例を示す説明図である。
【発明を実施するための形態】
【００２１】
以下、本発明の具体的実施例について、図面を参照しながら説明する。なお、以下の実施態様は、本発明を具体化する際の一形態であって、本発明をその範囲内に限定するためのものではない。なお、本発明の説明においては、図面に示した状態で果実袋の上下方向を「上」「下」として表現している。これにより、製品としての果実袋の上下を規定しているものではない。
【実施例１】
【００２２】
本発明の実施例１について、図１及び図２に基づいて説明する。図１は実施例１における果実袋の正面図である。符号１０は、果実袋全体を指している。符号１１は、果実を果実袋内部へ導入するための果実袋１０の上端部に設けられた開口部である。符号１２は、作業者が開口部１１を開きやすいように開口部１１の上端部を始点として果実袋側面を切り抜いて加工した切欠部である。この切欠部１２の形状は図１に示した形状に限らない。符号１３は、開口部１１を開きやすくし、果軸や枝などを挟み込むことを容易にするための切り込み線である。符号１４は、切り込み線１３に通した果軸や枝に開口部１１の上端部を折り込み巻きつけるための止金である。切り込み線１３の下方の終端部には、切り込み線１３の裂けを防止するための補強手段としての粘着剤Ｂが所定形状に塗布されている。果実袋１０は、シート状の紙葉を折り畳み接着部１５で接着することで袋状を形成している。
【００２３】
図２は、図１に示す果実袋を果実Ａ（本実施例では柑橘類）に袋掛けする最初の状態を示している。作業者によって開口部１１を開かれた果実袋１０は、その開口部１１を両側に引っ張る方向に力Ｆが加えられる。従来の果実袋では先に説明した通り、この力Ｆが切り込み線１３下方の終端部１３’に集中して引き裂き力となり、切り込み線１３の終端部１３’からさらに下方に向けて果実袋が裂けてしまっていたが、本実施例の果実袋１０は、補強手段としての粘着剤Ｂによって引き裂き力に耐えうる強度を得ることができる。尚、粘着剤Ｂは、自らの粘着力により果実袋１０の側面に粘着し、裂けに対して一定の強度を有するものであればよく、プラスチック、接着剤、粘着剤、または一面に接着面または粘着面を有した補強テープ等を用いることが可能である。なお、プラスチック、接着剤、粘着剤は、塗布時には粘着性があっても、製品完成時には粘着力が無視できる素材が選択される（例えば、乾燥による）。
【００２４】
また、図３に示すように、袋掛け作業の次の段階では、切り込み線１３の開口部側端部を交差させて果軸を挟み込む。この際、作業者に力が入りすぎるなどして必要以上に交差することで、切り込み線１３から下方に向けて引き裂かれるおそれがあったが、粘着剤Ｂによって補強された終端部１３’によって引き裂かれることを防止することができる。その後、図４に示すように、通常の果実袋と同様、果実袋１０が果実から離脱しないよう、止金１４を用いて開口部１１を閉じる。このようにして、果実袋１０の切り込み線１３下方の終端部１３’からの引き裂きが防止できる。
【実施例２】
【００２５】
続いて、実施例２について図５に基づいて説明する。図５は二重果実袋の構成を示しており、（ａ）は内袋、（ｂ）は外袋、（ｃ）はこれらを重ねた二重果実袋を示す。符号２０は二重果実袋の内袋である。実施例１の果実袋と同様、開口部２１、切欠部２２、切り込み線２３が形成されている。符号３０は外袋である。外袋３０も同様に開口部３１、切欠部３２、切り込み線３３が形成され、外袋３０にはさらに止金３４が取り付けられている。外袋３０内部に内袋２０を収容して二重果実袋４０を形成する。開口部２１、３１及びその他の外形の寸法は外袋３０が内袋２０よりも一回り大きく形成される。図５（ｃ）は外袋３０に内袋２０が収容された状態（内袋２０は点線表示）の二重果実袋４０を示している。
【００２６】
上記のような構成の二重果実袋において、内袋２０の切り込み線２３の下方終端部または外袋３０の切り込み線３３の下方終端部、若しくは内袋２０及び外袋３０の両方の切り込み線２３，３３の下方終端部の位置に粘着剤Ｂが塗布されている。図５に示した実施例２においては、内袋２０の切り込み線２３の下方終端部の外側面にのみ粘着剤Ｂを塗布した例を示している。この粘着剤Ｂによって、先の実施例１と同様に、二重果実袋４０に対して引き裂き力に耐えうる強度を付与することが可能となる。
【００２７】
このように、粘着剤Ｂの塗布の場所と位置は、内袋２０又は／及び外袋３０の内側又は／及び外側の何れか一か所以上でよいが、内包する果実の品質を考慮すると、内袋３０の内側以外に塗布することが望ましい。また果実袋の製造工程及びコストの観点と、一般的に外袋の強度が内袋の強度を上回ること、粘着剤によって内袋２０と外袋３０とを貼着させることで内袋２０と外袋３０が離脱しないという効果が生じることを鑑みて、少なくとも粘着剤Ｂを内袋２０の外側面及び／又は外袋３０の内側面に塗布することが望ましい。その際は、内袋２０の外側面又は外袋３０の内側面に塗布した粘着剤が、内袋２０と外袋３０を接着しても良いし、内袋２０と外袋３０は接着せずに、相互のズレを許容するようにしても良い。尚、実施例２の場合も、粘着剤Ｂは、プラスチックや接着剤、粘着剤、及び両面接着可能な補強テープ（外袋３０の外側に貼着する場合は片面接着可能な補強テープで良い）等を用いることが可能である。このようにして、二重果実袋４０であっても、切り込み線２３、３３の下方の終端部からの引き裂きが防止できる。
【実施例３】
【００２８】
続いて、実施例３について図６に基づいて説明する。図６は三重果実袋の構成を示しており、（ａ）は内袋、（ｂ）は中袋、（ｃ）は外袋、（ｄ）はこれらを重ねた三重果実袋を示す。符号５０は内袋である。その構成は、実施例１及び実施例２と同様に、開口部５１、切欠部５２、切り込み線５３が形成される。符号６０は中袋である。中袋６０は開口部６１のみを具備したシンプルな袋状に形成される。符号７０は外袋であり、開口部７１、切欠部７２、切り込み線７３が形成され、止金７４が取り付けられている。
【００２９】
内袋５０が中袋６０に収容され、内袋５０と中袋６０が外袋７０に収容されることで図６（ｄ）に示す三重果実袋８０となる（内袋５０、中袋６０は点線表示）。このとき、図６（ｄ）に示すように、中袋６０の開口部６１の上端部が、内袋５０の切り込み線５３及び外袋７０の切り込み線７３の各々の下方の終端部５３’及び７３’近傍に位置するような寸法で各々の寸法が決められる。
【００３０】
図６に示した三重果実袋８０において、補強部材としての粘着剤Ｂは、中袋６１外側の開口部近傍の中央部に塗布されている。外袋７０の内部に内袋５０及び中袋６０を入れた際、外袋７０の内側且つ切り込み線７３の終端部７３’の下方と、中袋６０に塗布された粘着剤Ｂの位置とが一致し（図６（ｄ）参照）、三重果実袋８０の引き裂き力を中袋６０に塗布された粘着剤Ｂが吸収し、三重果実袋８０の終端部７３’を内側から補強することができる。これにより、実施例１及び実施例２と同様、この粘着剤Ｂの存在によって、三重果実袋８０に対して引き裂き力に耐えうる強度を付与することが可能となる。尚、上記以外にも、外袋７０の終端部７３’の下方に外側面から直接粘着剤Ｂによって補強してもよいし、必要な強度が確保できるのであれば内袋５０に対して粘着剤Ｂを施して補強してもよい。当然これらの位置全てに塗布しても良い。
【００３１】
以上のような一重乃至は多重の果実袋においては、果実袋に形成された切り込み線の下方の終端部に補強手段としての粘着剤を配置したことによって、果実袋の引裂強度を向上させ、開口部を広げるときや、切り込み線に果軸または枝を挟み込んだとき、隙間なく果実袋を結束しようとするときなどに荷重を掛けた場合でも、切り込み線から連続して果実袋の側面が裂けることを抑止することができる。また切り込み線に引き裂き力に耐えうる補強手段を施すのみであるため、果実袋そのものは従来と同様に薄く作業性の良い素材を用いることができる。
【００３２】
ここで、本発明の効果を実験によって実証してみた。果実に袋を掛けやすい果実袋は素材が薄いことから切り込み線から裂け易く、その引裂強度は表１の従来品１として示すように２６７．７ｍＮとなっている。これに対して、従来品２のように素材を厚くすることで、その引裂強度を３３３．４ｍＮまで高めることができた。このことから、果実袋の切り込み線の引裂強度は４００ｍＮもあれば、切り込み線から引き裂かれない強度となることが分かる。尚、調査方法はＪＩＳ  Ｐ  ８１１６：紙−引裂強さ試験方法−エルメンドルフ形引裂試験機法に準じた方法にて行った。
【００３３】
【表１】
0005996945.tif 000002
【００３４】
しかしながら、従来品２やそれ以上の引裂強度を持つ素材を用いた果実袋といった、単純に引裂強度４００ｍＮ以上のものを果実袋の素材とすると、果実袋の強度は増すものの、素材が硬くなるとともに、果実袋の厚みは増大し、果実袋の総重量が増大し且つ袋掛け作業の際に作業者の手指に大きな負担が掛かってしまう。
【００３５】
そこで、上述した実施例１乃至実施例３に示した補強手段を施す前と、施した後の果実袋に対して同じような実験を試みたところ、表１に示すように、補強手段を施す前の果実袋の切り込み線部の引裂強度が２６７．７ｍＮであったのに対し、実施例１の補強手段を施した後の果実袋の切り込み線部の引裂強度は５４４．３ｍＮとほぼ倍増し、引裂強度は著しく向上した。また、従来品１及び実施例１と同じ素材を用いた袋を外袋とし、外袋よりも引裂強度が低い素材を用いた内袋に粘着剤を塗布して貼着させたもの、即ち実施例２の態様の果実袋の切り込み線部の引裂強度は４５１．１ｍＮとなることが、更に、従来品１及び実施例１と同じ素材を用いた袋を外袋とし、他の素材（外袋よりも引裂強度は低いもの）を用いた中袋、内袋を用いた三重袋の、外袋の切り込み線の終端に粘着剤を塗布して中袋を貼着させたもの、即ち実施例３の態様の果実袋の切り込み線部の引裂強度は７２５．７ｍＮとなることが、それぞれ実験結果として得ることができた。これにより、本発明の補強手段を施した果実袋では、袋掛け作業で必要とされる指先の力は大きくせずに、切込部の下部終端部近傍の引裂強度を、少なくとも４００ｍＮ（ミリニュートン）以上にすることにより効果を発揮することが実証された。
【実施例４】
【００３６】
上述した実施例１乃至３とは異なる、桃の果実に対して袋掛けを行う際の果実袋について、図７乃至図１０に基づいて説明する。桃用の果実袋９０は開口部９１を容易に開くことができるよう切欠部９２が形成される。桃は果軸が短いことから、実施例１乃至３とはことなり、果実袋の表と裏の双方にＶ型の切抜部９３（双方に形成されていればＩ型の切り込み線であってもよい）を形成する。桃用果実袋９０は、袋掛けの際に引き裂かれることの無いようＶ型切抜部９３の先端にＲを持たせたラウンド状に形成しても良い。これを更に補強するため、粘着剤ＢをＶ型切抜部先端に塗布する。当然これは、先の実施例と同様にプラスチックや接着剤、補強テープなどに置き換えても何ら問題ない。
【００３７】
図７に示す桃用果実袋９０を桃の果実に袋掛けする手順を説明する。最初に、図８に示すように、開口部９１を開いて桃用果実袋９０の内部に桃の果実Ａ’を導入する。その際、桃の枝をＶ型切抜部９３に嵌めこむように配置する。その後、図９に示すように手前側のＶ型切抜部９３の上端を交差させ、同様に奥側のＶ型切抜部９３の上端も交差させて、枝を挟み込む。この際、Ｖ型切抜部９３の先端に負荷がかかっても、粘着剤Ｂによって果実袋のＶ型切抜部の引裂強度が向上していることから、果実袋が引き裂かれることが無い。続いて図１０に示すように、挟み込んだ枝から果実袋９０が離脱しないよう、止金９４を折り曲げてＶ型切抜部上端を固定する。以上のようにして、桃の果実の袋掛けを行う。
【００３８】
以上のように、桃の果実用に形成したＶ型の切抜部であっても、粘着剤等によって補強することで、果実袋の袋掛けの際に果実袋が引き裂かれることを防止することができる。
【００３９】
以上、本発明の実施例について詳述したが、本発明は、前記実施例に限定されるものではなく、本発明の要旨の範囲内で種々の変形実施が可能である。例えば、図示しないが、切り込み線又は切抜部をＵ型とした場合は、当該Ｕ型のラウンドした終端部の下方をカバーするように補強部材を配置すればよい。また、実施例では一乃至三重の果実袋として説明したが、これに限定せず、４以上の果実袋を重ねたものに対して本発明を適用したとしても、何ら問題はない。
【符号の説明】
【００４０】
１０      果実袋
４０      二重果実袋
８０      三重果実袋
９０      桃用果実袋
１１，２１，３１，５１，６１，７１、９１  開口部
１２，２２，３２，５２，７２，９２  切欠部
１３，２３，３３，５３，７３  切り込み線
９３  Ｖ型切抜部
１４，３４，７４、９４  止金
Ａ    果実（柑橘）
Ａ’  果実（桃）
Ｂ    粘着剤（補強手段）
【図１】
0005996945.tif 000003
【図２】
0005996945.tif 000004
【図３】
0005996945.tif 000005
【図４】
0005996945.tif 000006
【図５】
0005996945.tif 000007
【図６】
0005996945.tif 000008
【図７】
0005996945.tif 000009
【図８】
0005996945.tif 000010
【図９】
0005996945.tif 000011
【図１０】
0005996945.tif 000012
【図１１】
0005996945.tif 000013
【図１２】
0005996945.tif 000014